(57)【要約】【課題】自己の好みの評価対象を容易に検出する。【解決手段】情報処理装置は、各ユーザの識別情報を、該ユーザの評価対象についての評価に対応する位置に配置したグラフを生成するグラフ生成手段と、前記グラフ生成手段によって生成した前記グラフを表示する表示手段と、を備える。前記表示手段は、前記グラフにおいて、該ユーザが他のユーザの識別情報を選択したことに応答して、該他のユーザがこれまでに評価した前記評価対象及びその評価を表示する。前記評価対象についての評価は、二つのパラメータで表され、前記表示手段は、前記グラフを二次元グラフで表示する。【選択図】図４
2018124671.tif 000002
【特許請求の範囲】
【請求項１】
各ユーザの識別情報を、該ユーザの評価対象についての評価に対応する位置に配置したグラフを生成するグラフ生成手段と、
前記グラフ生成手段によって生成した前記グラフを表示する表示手段と、
を備える情報処理装置。
【請求項２】
前記表示手段は、前記グラフにおいて、該ユーザが他のユーザの識別情報を選択したことに応答して、該他のユーザがこれまでに評価した前記評価対象及びその評価を表示する、
ことを特徴とする請求項１に記載の情報処理装置。
【請求項３】
前記評価対象についての評価は、二つのパラメータで表され、
前記表示手段は、前記グラフを二次元グラフで表示する、
ことを特徴とする請求項１又は２に記載の情報処理装置。
【請求項４】
情報処理装置と、サーバ装置と、をネットワークを介して接続した情報処理システムであって、
前記情報処理装置は、
各ユーザの識別情報を、該ユーザの評価対象についての評価に対応する位置に配置したグラフを生成するグラフ生成手段と、
前記グラフ生成手段によって生成した前記グラフを表示する表示手段と、
前記表示手段に表示される前記グラフにおいて、該ユーザが他のユーザの識別情報を選択したことに応答して、該他のユーザを特定可能な評価情報要求を前記ネットワークを介して前記サーバ装置に送信する評価情報要求手段と、
を備え、
前記サーバ装置は、
前記ユーザ毎に、該ユーザが評価した前記評価対象及びその評価を対応付けて登録するユーザＤＢ（Database）と、
前記情報処置装置から前記ネットワークを介して送信される前記評価情報要求を受信したことに応答して、該評価情報要求から特定される該他のユーザがこれまでに評価した前記評価対象及びその評価を、前記ユーザＤＢから読み出す評価読出手段と、
前記評価読出手段によって読み出した前記他のユーザがこれまでに評価した前記評価対象及びその評価を特定可能な評価情報を、前記ネットワークを介して前記情報処理装置に送信する評価情報送信手段と、
を備え、
前記表示手段は、前記サーバ装置から前記ネットワークを介して送信される前記評価情報を受信したことに応答して、該評価情報から特定される前記他のユーザがこれまでに評価した前記評価対象及びその評価を表示する、
ことを特徴とする情報処理システム。
【請求項５】
前記情報処理装置は、前記表示手段に表示される前記グラフにおいて、前記ユーザが前記評価対象についての評価に対応する位置を選択したことに応答して、該ユーザと、前記評価対象及びその評価と、を特定可能なユーザ評価を前記ネットワークを介して前記サーバ装置に送信するユーザ評価手段をさらに備え、
前記サーバ装置は、前記情報処置装置から前記ネットワークを介して送信される前記ユーザ評価を受信したことに応答して、該ユーザ評価から特定される前記ユーザに対応付けて、該ユーザ評価から特定される前記評価対象及びその評価を前記ユーザＤＢに登録する登録手段をさらに備える、
ことを特徴とする請求項４に記載の情報処理システム。
【請求項６】
前記サーバ装置は、前記評価対象毎に、該評価対象を評価した前記ユーザ及びその評価を対応付けて登録する評価対象ＤＢをさらに備え、
前記グラフ生成手段は、前記評価対象ＤＢから前記ネットワークを介して各ユーザの前記評価対象についての評価を取得して、前記グラフを生成する、
ことを特徴とする請求項４又は５に記載の情報処理システム。
【請求項７】
各ユーザの識別情報を、該ユーザの評価対象についての評価に対応する位置に配置したグラフを生成するグラフ生成ステップと、
前記グラフ生成ステップによって生成した前記グラフを表示する表示ステップと、
を備える情報処理方法。
【請求項８】
コンピュータに、
各ユーザの識別情報を、該ユーザの評価対象についての評価に対応する位置に配置したグラフを生成するグラフ生成手順と、
前記グラフ生成手順によって生成した前記グラフを表示する表示手順と、
を実行させるためのプログラム。
【発明の詳細な説明】
【技術分野】
【０００１】
本発明は、情報処理装置、情報処理システム、情報処理方法、及びプログラムに関し、特に、自己の好みの評価対象を容易に検出できる情報処理装置、情報処理システム、情報処理方法、及びプログラムに関する。
【背景技術】
【０００２】
これまでは、嗜好品を客観的に評価することに主眼が置かれてきた（例えば特許文献１参照）。
【先行技術文献】
【特許文献】
【０００３】
【特許文献１】特開２００１−１４９３２３号公報
【発明の概要】
【発明が解決しようとする課題】
【０００４】
しかしながら、嗜好品の好みは、人それぞれであるため、客観的に評価できるものではないが、好みが似通っている人同士では、一方が好んだ嗜好品を、もう一方も好む傾向にあるため、両者の評価は互いに大変参考になる。
【０００５】
本発明は、上記の課題を解決するためになされたものであって、自己の好みの評価対象を容易に検出できる情報処理装置、情報処理システム、情報処理方法、及びプログラムを提供することを目的とする。
【課題を解決するための手段】
【０００６】
上記の目的を達成するため、本発明の第１の観点に係る情報処理装置は、各ユーザの識別情報を、該ユーザの評価対象についての評価に対応する位置に配置したグラフを生成するグラフ生成手段と、前記グラフ生成手段によって生成した前記グラフを表示する表示手段と、を備える。
【０００７】
上記の情報処理装置において、前記表示手段は、前記グラフにおいて、該ユーザが他のユーザの識別情報を選択したことに応答して、該他のユーザがこれまでに評価した前記評価対象及びその評価を表示する、ものであってもよい。
【０００８】
上記の情報処理装置において、前記評価対象についての評価は、二つのパラメータで表され、前記表示手段は、前記グラフを二次元グラフで表示する、ものであってもよい。
【０００９】
上記の目的を達成するため、本発明の第２の観点に係る情報処理システムは、情報処理装置と、サーバ装置と、をネットワークを介して接続した情報処理システムであって、前記情報処理装置は、各ユーザの識別情報を、該ユーザの評価対象についての評価に対応する位置に配置したグラフを生成するグラフ生成手段と、前記グラフ生成手段によって生成した前記グラフを表示する表示手段と、前記表示手段に表示される前記グラフにおいて、該ユーザが他のユーザの識別情報を選択したことに応答して、該他のユーザを特定可能な評価情報要求を前記ネットワークを介して前記サーバ装置に送信する評価情報要求手段と、を備え、前記サーバ装置は、前記ユーザ毎に、該ユーザが評価した前記評価対象及びその評価を対応付けて登録するユーザＤＢ（Database）と、前記情報処置装置から前記ネットワークを介して送信される前記評価情報要求を受信したことに応答して、該評価情報要求から特定される該他のユーザがこれまでに評価した前記評価対象及びその評価を、前記ユーザＤＢから読み出す評価読出手段と、前記評価読出手段によって読み出した前記他のユーザがこれまでに評価した前記評価対象及びその評価を特定可能な評価情報を、前記ネットワークを介して前記情報処理装置に送信する評価情報送信手段と、を備え、前記表示手段は、前記サーバ装置から前記ネットワークを介して送信される前記評価情報を受信したことに応答して、該評価情報から特定される前記他のユーザがこれまでに評価した前記評価対象及びその評価を表示する。
【００１０】
上記の情報処理システムにおいて、前記情報処理装置は、前記表示手段に表示される前記グラフにおいて、前記ユーザが前記評価対象についての評価に対応する位置を選択したことに応答して、該ユーザと、前記評価対象及びその評価と、を特定可能なユーザ評価を前記ネットワークを介して前記サーバ装置に送信するユーザ評価手段をさらに備え、
前記サーバ装置は、前記情報処置装置から前記ネットワークを介して送信される前記ユーザ評価を受信したことに応答して、該ユーザ評価から特定される前記ユーザに対応付けて、該ユーザ評価から特定される前記評価対象及びその評価を前記ユーザＤＢに登録する登録手段をさらに備える、ものであってもよい。
【００１１】
上記の情報処理システムにおいて、前記サーバ装置は、前記評価対象毎に、該評価対象を評価した前記ユーザ及びその評価を対応付けて登録する評価対象ＤＢをさらに備え、
前記グラフ生成手段は、前記評価対象ＤＢから前記ネットワークを介して各ユーザの前記評価対象についての評価を取得して、前記グラフを生成する、ものであってもよい。
【００１２】
上記の目的を達成するため、本発明の第３の観点に係る情報処理方法は、各ユーザの識別情報を、該ユーザの評価対象についての評価に対応する位置に配置したグラフを生成するグラフ生成ステップと、前記グラフ生成ステップによって生成した前記グラフを表示する表示ステップと、を備える。
【００１３】
上記の目的を達成するため、本発明の第４の観点に係るプログラムは、コンピュータに、各ユーザの識別情報を、該ユーザの評価対象についての評価に対応する位置に配置したグラフを生成するグラフ生成手順と、前記グラフ生成手順によって生成した前記グラフを表示する表示手順と、を実行させる。
【発明の効果】
【００１４】
本発明によれば、自己の好みの評価対象を容易に検出できる情報処理装置、情報処理システム、情報処理方法、及びプログラムを提供することができる。
【図面の簡単な説明】
【００１５】
【図１】情報処理システムの構成例を示す図である。
【図２】ユーザ端末の構成例を示すブロック図である。
【図３】嗜好品リストの表示例を示す図である。
【図４】嗜好品ページの表示例を示す図である。
【図５】コレクションページの表示例を示す図である。
【図６】サーバ装置の構成例を示すブロック図である。
【図７】嗜好品評価処理の詳細を示すフローチャートである。
【図８】コレクションページ表示処理の詳細を示すフローチャートである。
【発明を実施するための形態】
【００１６】
以下、本発明を実施するための形態について説明する。
【００１７】
まず、本実施形態に係る情報処理システムの構成について図面を参照しつつ説明する。
【００１８】
図１は、情報処理システムの構成例を示す図である。
【００１９】
情報処理システム１は、図１に示すように、複数のユーザ端末（情報処理装置）１０−ｎ（ｎは自然数）と、サーバ装置２０と、を具備し、これらは、インターネット等のネットワークＮを介して相互に通信可能に接続されている。
【００２０】
ユーザ端末１０−ｎは、例えば汎用のスマートフォン又はタブレットコンピュータ等から構成されている。なお、ユーザ端末１０−ｎは、例えば携帯電話又は汎用のパーソナルコンピュータ等から構成されてもよい。
【００２１】
ユーザ端末１０−ｎは、評価対象である嗜好品（本実施形態では「日本酒」）を評価するユーザによって操作される。なお、評価対象である嗜好品は、日本酒に限定されるものではなく、日本酒以外の酒や、コーヒー、茶、タバコ等の飲食物や、趣味性が強く、操作や体感的に楽しむ自動車・オートバイ、カメラ等の物品であってもよい。また、評価対象は、嗜好品の範疇に属さないものであってもよく、ユーザ毎に評価が異なるものであれば、任意である。
【００２２】
図２は、ユーザ端末の構成例を示すブロック図である。
【００２３】
ユーザ端末１０−ｎは、図２に示すように、タッチパネル１１と、撮像部１２と、記憶部１３と、通信部１４と、制御部１５と、を備え、これらはバスを介して接続されている。
【００２４】
タッチパネル１１は、例えば液晶表示装置とポインティングデバイスとを組み合わせた汎用のタッチパネル等から構成されている。タッチパネル１１は、各種画面を表示するとともに、ユーザによる各種操作を受け付ける。
【００２５】
撮像部１２は、例えばＣＣＤ（Charge Coupled Device）等の固体撮像素子から構成されている。撮像部１２は、ユーザが飲食した嗜好品を撮像して、嗜好品の画像データを生成する。
【００２６】
記憶部１３は、例えば汎用のフラッシュメモリ等の不揮発性メモリ等から構成されている。記憶部１３は、ユーザが嗜好品を評価したり、ユーザの嗜好に合致すると予測される嗜好品を表示するためのアプリケーションプログラム（以下、「嗜好品アプリ」という。）を記憶する。また、記憶部１３は、撮像部１２で生成した嗜好品の画像データを記憶する。
【００２７】
通信部１４は、例えば汎用の無線通信装置等から構成されている。通信部１４は、ネットワークＮを介してサーバ装置２０と無線通信を行う。
【００２８】
制御部１５は、例えばＣＰＵ（Central Processing Unit）、ＲＯＭ（Read Only Memory）、及びＲＡＭ（Random Access Memory）等から構成されている。ＣＰＵは、ＲＡＭをワークメモリとして用い、ＲＯＭに記憶されているプログラム及び記憶部１３に記憶されている嗜好品アプリを適宜実行することによって、ユーザ端末１０−ｎの各種動作を制御する。
【００２９】
具体的に、制御部１５は、ユーザがタッチパネル１１に表示される嗜好品アプリのアイコンをタップしたことに応答して、記憶部１２に記憶されている嗜好品アプリを起動して、図３に示す嗜好品リスト３００をタッチパネル１１に表示する。本実施形態において、嗜好品リスト３００には、複数種類の嗜好品が評価数順に表示される。また、嗜好品リスト３００の下側には、左から順に「ホーム」、「コレクション」、及び「新規投稿」のアイコンが表示される。
【００３０】
ユーザは、自分が飲食した嗜好品が嗜好品リスト３００に掲載されている場合、嗜好品リスト３００のうちから、当該嗜好品をタップして選択する。そして、制御部１５は、ユーザが飲食した嗜好品を選択したことに応答して、図４に示す嗜好品ページ４００をタッチパネル１１に表示する。嗜好品ページ４００は、嗜好品の画像４１０と、当該嗜好品をユーザが評価するための第１嗜好品グラフ４２０と、当該嗜好品についての他のユーザの評価を表す第２嗜好品グラフ４３０と、を含んでいる。
【００３１】
これに対して、ユーザは、自分が飲食した嗜好品が嗜好品リスト３００に掲載されていない場合、「新規投稿」のアイコンをタップして、当該嗜好品の嗜好品ページ４００を新規作成する。ユーザは、自分が飲食した嗜好品の名称を入力したり、嗜好品の画像４１０を記憶部１３のうちから選択して設定したりして、当該嗜好品についての嗜好品ページ４００を新規作成する。そして、制御部１５は、ユーザが新規作成した嗜好品ページ４００をタッチパネル１１に表示する。
【００３２】
本実施形態において、第１及び第２嗜好品グラフ４２０，４３０の横軸は、嗜好品の味の濃淡を示し、縦軸は、香りの高低を示している。すなわち、嗜好品の評価は、味の濃淡及び香りの高低といった二つのパラメータで表され、第１及び第２嗜好品グラフ４２０，４３０は、二次元グラフで表される。なお、嗜好品の評価を表すパラメータは、味の濃淡及び香りの高低に限定されるものではなく、嗜好品の特性に応じて任意に変更可能である。また、嗜好品の評価を表すパラメータは、二つに限定されるものではなく、一つであってもよいし、三つ以上であってもよい。さらに、第１及び第２嗜好品グラフ４２０，４３０は、別のものではなく、一体であってもよい。
【００３３】
ユーザは、第１嗜好品グラフ４２０において、自分が飲食した嗜好品の味の濃淡及び香りの高低をそれぞれ１１段階で評価して、当該評価に対応する位置（座標）をタップ（選択）する。図４に示す例では、味の濃淡が“２”、香りの高低が“１”と評価され、座標（２，１）がタップされている。このようにして、ユーザは、自分が飲食した嗜好品を評価する。
【００３４】
そして、制御部１５は、ユーザが第１嗜好品グラフ４２０において当該嗜好品を評価したことに応答して、当該嗜好品を識別するための嗜好品ＩＤ（Identity）と、ユーザを識別するためのユーザＩＤと、ユーザがタップした座標値、即ちユーザが飲食した嗜好品の味の濃淡及び香りの高低の評価値と、を特定可能な第１評価情報（ユーザ評価）を通信部１４からネットワークＮを介してサーバ装置２０に送信する。
【００３５】
また、制御部１５は、サーバ装置２０からネットワークＮを介して送信される第２評価情報を通信部１４で受信したことに応答して、第２評価情報から特定されるユーザのプロフィール画像のそれぞれを、第２評価情報から特定される当該ユーザの評価値に対応する座標に配置して、第２評価情報から特定される当該嗜好品ＩＤから識別される嗜好品についての第２嗜好品グラフ４３０を生成して、タッチパネル１１に表示する。
【００３６】
第２嗜好品グラフ４３０には、当該嗜好品を評価したユーザのプロフィール画像（識別情報）が、当該ユーザの評価値に対応する座標に表示される。本実施形態において、第２嗜好品グラフ４３０には、当該嗜好品を評価したユーザのうち、最新１０人のユーザのプロフィール画像が表示される。なお、第２嗜好品グラフ４３０に表示されるユーザのプロフィール画像の数は、任意に変更可能である。図４に示す例では、味の濃淡を“３”、香りの高低を“２”と評価した他のユーザのプロフィール画像が座標（３，２）に表示される。
【００３７】
そして、制御部１５は、ユーザが第２嗜好品グラフ４３０において当該他のユーザのプロフィール画像をタップしたことに応答して、当該嗜好品についての当該他のユーザの嗜好品ページ４００をタッチパネル１１に表示する。
【００３８】
さらに、制御部１５は、ユーザが当該他のユーザの嗜好品ページ４００において「コレクション」のアイコンをタップしたことに応答して、当該他のユーザのユーザＩＤを特定可能な評価情報要求を通信部１４からネットワークＮを介してサーバ装置２０に送信する。
【００３９】
そして、制御部１５は、サーバ装置２０からネットワークＮを介して送信される第３評価情報を通信部１４で受信したことに応答して、第３評価情報から特定される嗜好品ＩＤ及びその評価値を示す図５のコレクションページ５００を生成して、タッチパネル１１に表示する。コレクションページ５００は、当該他のユーザがこれまでに飲食して評価した嗜好品及びその評価値を示している。
【００４０】
サーバ装置２０は、例えば汎用のサーバコンピュータ等から構成されている。サーバ装置２０は、ユーザ評価情報を管理する。
【００４１】
図６は、サーバ装置の構成例を示すブロック図である。
【００４２】
サーバ装置２０は、図６に示すように、通信部２１と、記憶部２２と、制御部２３と、を備え、これらはバスを介して接続されている。
【００４３】
通信部２１は、例えばＮＩＣ（Network Interface Card）等から構成されている。通信部２１は、ネットワークＮを介してユーザ端末１０−ｎと無線通信を行う。
【００４４】
記憶部２２は、例えばハードディスクドライブ等から構成されている。記憶部２２は、ユーザＤＢ（Database）１００と、嗜好品ＤＢ２００と、を備えている。
【００４５】
ユーザＤＢ１００は、ユーザ毎に、ユーザＩＤと、ユーザ名等のユーザ情報と、当該ユーザのプロフィール画像（識別情報）と、当該ユーザがこれまでに飲食して評価した嗜好品の嗜好品ＩＤ及び当該嗜好品の評価値と、を対応付けて登録する。
【００４６】
嗜好品ＤＢ２００は、嗜好品毎に、嗜好品ＩＤと、当該嗜好品を評価したユーザのユーザＩＤと、当該ユーザの評価値と、を対応付けて登録する。
【００４７】
制御部２３は、例えばＣＰＵ、ＲＯＭ、及びＲＡＭ等から構成されている。ＣＰＵは、ＲＡＭをワークメモリとして用い、ＲＯＭに記憶されているプログラムを適宜実行することにより、サーバ装置２０の各種動作を制御する。
【００４８】
具体的に、制御部２３は、ユーザ端末１０−ｎからネットワークＮを介して送信される第１評価情報を通信部２１で受信したことに応答して、第１評価情報から特定されるユーザＩＤに対応付けて、第１評価情報から特定される嗜好品ＩＤ及び評価値をユーザＤＢ１００に登録する。また、制御部２３は、第１評価情報から特定される嗜好品ＩＤに対応付けて、第１評価情報から特定されるユーザＩＤ及び評価値を嗜好品ＤＢ２００に登録する。
【００４９】
次に、制御部２３は、第１評価情報から特定される嗜好品ＩＤに対応するユーザＩＤ及び評価値の全てを嗜好品ＤＢ２００から読み出す。また、制御部２３は、嗜好品ＤＢ２００から読み出したユーザＩＤに対応するプロフィール画像の全てをユーザＤＢ１００から読み出す。
【００５０】
そして、制御部２３は、第１評価情報から特定される嗜好品ＩＤと、嗜好品ＤＢ２００から読み出したユーザＩＤ及び評価値の全てと、ユーザＤＢ１００から読み出したユーザのプロフィール画像の全てと、を特定可能な第２評価情報を通信部２１からネットワークＮを介してユーザ端末１０−ｎに送信する。
【００５１】
また、制御部２３は、ユーザ端末１０−ｎからネットワークＮを介して送信される評価情報要求を通信部２１で受信したことに応答して、評価情報要求から特定されるユーザＩＤに対応する（換言すれば、ユーザが第２嗜好品フラグにおいてタップして選択したプロフィール画像に対応する）嗜好品ＩＤ及びその評価値をユーザＤＢ１００から読み出す。
【００５２】
そして、制御部２３は、ユーザＤＢ１００から読み出した嗜好品ＩＤから識別される嗜好品及びその評価値を特定可能な第３評価情報を通信部２１からネットワークＮを介してユーザ端末１０−ｎに送信する。このようにして、制御部２３は、ユーザＩＤから識別されるユーザがこれまでに飲食して評価した嗜好品及びその評価値を示すコレクションページ５００をユーザ端末１０−ｎのタッチパネル１１に表示することができる。
【００５３】
次に、上記構成を備える情報処理システム１が実行する各種処理について図面を参照して説明する。
【００５４】
まず、ユーザ端末１０−ｎの制御部１５は、ユーザがタッチパネル１１に表示される嗜好品アプリのアイコンをタップしたことに応答して、記憶部１２に記憶されている嗜好品アプリを起動して、図３に示す嗜好品リスト３００をタッチパネル１１に表示する。
【００５５】
次に、制御部１５は、ユーザが嗜好品リスト３００のうちから、自分が飲食した嗜好品をタップして選択したことに応答して、図４に示す嗜好品ページ４００をタッチパネル１１に表示する。これに対して、制御部１５は、ユーザが「新規投稿」のアイコンをタップして、自分が飲食した嗜好品の嗜好品ページ４００を新規作成した場合、新規作成した嗜好品ページ４００をタッチパネル１１に表示する。
【００５６】
そして、制御部１５は、ユーザが嗜好品ページ４００の第１嗜好品グラフ４２０において、飲食した嗜好品の味の濃淡及び香りの高低のそれぞれの評価に対応する座標をタップして評価したことに応答して、嗜好品評価処理を開始する。
【００５７】
図７は、嗜好品評価処理の詳細を示すフローチャートである。
【００５８】
嗜好品評価処理において、まず、制御部１５は、図７に示すように、当該嗜好品の嗜好品ＩＤと、ユーザのユーザＩＤと、ユーザが飲食した嗜好品の味の濃淡及び香りの高低の評価値と、を特定可能な第１評価情報を通信部１４からネットワークＮを介してサーバ装置２０に送信する（ステップＳ７１）。
【００５９】
一方、サーバ装置２０では、制御部２３が、ユーザ端末１０−ｎからネットワークＮを介して送信される第１評価情報を通信部２１で受信したことに応答して（ステップＳ７２）、第１評価情報から特定されるユーザＩＤに対応付けて、第１評価情報から特定される嗜好品ＩＤ及び評価値をユーザＤＢ１００に登録する（ステップＳ７３）。
【００６０】
また、制御部２３は、第１評価情報から特定される嗜好品ＩＤに対応付けて、第１評価情報から特定されるユーザＩＤ及び評価値を嗜好品ＤＢ２００に登録する（ステップＳ７４）。
【００６１】
次に、制御部２３は、第１評価情報から特定される嗜好品ＩＤに対応するユーザＩＤ及び評価値の全てを嗜好品ＤＢ２００から読み出す（ステップＳ７５）。
【００６２】
また、制御部２３は、嗜好品ＤＢ２００から読み出したユーザＩＤに対応するプロフィール画像の全てをユーザＤＢ１００から読み出す（ステップＳ７６）。
【００６３】
そして、制御部２３は、第１評価情報から特定される嗜好品ＩＤと、嗜好品ＤＢ２００から読み出したユーザＩＤ及び評価値の全てと、ユーザＤＢ１００から読み出したユーザのプロフィール画像の全てと、を特定可能な第２評価情報を通信部２１からネットワークＮを介してユーザ端末１０−ｎに送信する（ステップＳ７７）。
【００６４】
一方、ユーザ端末１０−ｎでは、制御部１５が、サーバ装置２０からネットワークＮを介して送信される第２評価情報を通信部１４で受信したことに応答して（ステップＳ７８）、第２評価情報から特定されるユーザのプロフィール画像のそれぞれを、第２評価情報から特定される当該ユーザの評価値に対応する座標に配置して、第２評価情報から特定される当該嗜好品ＩＤから識別される嗜好品についての第２嗜好品グラフ４３０を生成する（ステップＳ７９）。このようにして、制御部１５は、嗜好品ＤＢ２００からネットワークＮを介して各ユーザの当該嗜好品についての評価を取得して、第２嗜好品グラフ４３０グラフを生成する。
【００６５】
そして、制御部１５は、ステップＳ７９で生成した第２嗜好品グラフ４３０をタッチパネル１１に表示して、当該嗜好品についての嗜好品ページ４００に表示される第２嗜好品グラフ４３０を更新してから（ステップＳ８０）、嗜好品評価処理を終了する。これにより、ユーザ端末１０−ｎのタッチパネル１１には、更新後の第２嗜好品グラフ４３０が表示される。
【００６６】
また、制御部１５は、ユーザが第２嗜好品グラフ４３０において当該他のユーザのプロフィール画像をタップしたことに応答して、当該嗜好品についての当該他のユーザの嗜好品ページ４００をタッチパネル１１に表示する。
【００６７】
そして、制御部１５は、ユーザが当該他のユーザの嗜好品ページ４００において「コレクション」のアイコンをタップしたことに応答して、コレクションページ表示処理を開始する。
【００６８】
図８は、コレクションページ表示処理の詳細を示すフローチャートである。
【００６９】
コレクションページ表示処理において、まず、制御部１５は、図８に示すように、当該他のユーザのユーザＩＤを特定可能な評価情報要求を通信部１４からネットワークＮを介してサーバ装置２０に送信する（ステップＳ８１）。
【００７０】
一方、サーバ装置２０では、制御部２３が、ユーザ端末１０−ｎからネットワークＮを介して送信される評価情報要求を通信部２１で受信したことに応答して（ステップＳ８２）、評価情報要求から特定されるユーザＩＤに対応する嗜好品ＩＤ及び評価値をユーザＤＢ１００から読み出す（ステップＳ８３）。
【００７１】
そして、制御部２３は、ユーザＤＢ１００から読み出した嗜好品ＩＤから識別される嗜好品及びその評価値を特定可能な第３評価情報を通信部２１からネットワークＮを介してユーザ端末１０−ｎに送信する（ステップＳ８４）。
【００７２】
一方、ユーザ端末１０−ｎでは、制御部１５が、サーバ装置２０からネットワークＮを介して送信される第３評価情報を通信部１４で受信したことに応答して（ステップＳ８５）、第３評価情報から特定される嗜好品ＩＤ及びその評価値を示す図５のコレクションページ５００を生成する（ステップＳ８６）。
【００７３】
そして、制御部１５は、ステップＳ８６で生成したコレクションページ５００をタッチパネル１１に表示してから（ステップＳ８７）、コレクションページ表示処理を終了する。
【００７４】
以上説明したように、本実施形態に係る情報処理システム１によれば、ユーザは、飲食した嗜好品の評価が略一致する他のユーザ、換言すれば嗜好が合致する他のユーザを第２嗜好品グラフ４３０から検出することができる。そして、ユーザは、コレクションページ５００において、当該嗜好が合致する他のユーザがこれまでに飲食して評価した嗜好品及びその評価値をチェックし、当該評価値に基づいて、自分の嗜好に合致する可能性の高い嗜好品を検出することができる。
【００７５】
また、第１及び第２嗜好品グラフ４２０，４３０は、横軸を嗜好品の味の濃淡とし、縦軸を香りの高低とする二次元グラフであるため、第１嗜好品グラフ４２０では、ユーザが嗜好品をタッチパネル１１で評価しやすくなっている。また、第２嗜好品グラフ４３０によれば、ユーザは、自分と嗜好が合致する他のユーザを視覚的に容易に検出することができる。
【００７６】
なお、本発明は、上記の実施形態に限定されず、種々の変形、応用が可能である。以下、本発明に適用可能な上記の実施形態の変形態様について、説明する。
【００７７】
上記の実施形態において、第１，第２，及び第３評価情報には、嗜好品ＩＤと、ユーザＩＤと、ユーザが飲食した嗜好品の味の濃淡及び香りの高低の評価値と、が含まれるものとして説明したが、本発明はこれに限定されるものではなく、ユーザが嗜好品を飲食した店名や場所を識別可能な情報が含まれていてもよい。
【００７８】
この場合、ユーザＤＢ１００には、当該ユーザがこれまでに飲食して評価した嗜好品の嗜好品ＩＤ及び当該嗜好品の評価値に加えて、ユーザが嗜好品を飲食した店名や場所を識別可能な情報が対応付けて登録されればよい。
【００７９】
そして、ユーザ端末１０−ｎの制御部１５は、嗜好品ＩＤから識別される嗜好品及びその評価値に加えて、当該嗜好品を飲食した店名や場所を示すコレクションページ５００を生成して、タッチパネル１１に表示すればよい。
【００８０】
このようにすれば、ユーザは、自分の嗜好に合致する可能性の高い嗜好品を検出できることに加えて、当該嗜好品を飲食できる店名や場所を知ることができる。
【００８１】
上記の実施形態において、第２嗜好品グラフ４３０及びコレクションページ５００は、ユーザ端末１０−ｎによって生成されるものとして説明したが、本発明はこれに限定されるものではなく、サーバ装置５０によって生成されて送信されるものであってもよい。
【００８２】
また、上記の実施形態において、制御部１５及び制御部２３のＣＰＵが実行するプログラムは、予めＲＯＭ、記憶部１３及び記憶部２２等に記憶されるものとして説明したが、本発明はこれに限定されるものではなく、上述の処理を実行させるためのプログラムを、既存の汎用コンピュータに適用することで、上記の実施形態に係るユーザ端末１０−ｎ及びサーバ装置２０として機能させてもよい。
【００８３】
このようなプログラムの提供方法は任意であり、例えばコンピュータが読取可能な記録媒体（フレキシブルディスク、ＣＤ（Compact Disc）−ＲＯＭ、ＤＶＤ（Digital Versatile Disc）−ＲＯＭ等）に格納して配布してもよいし、インターネット等のネットワーク上のストレージにプログラムを格納しておき、これをダウンロードさせることにより提供してもよい。
【００８４】
さらに、上記の処理をＯＳ（Operating System）とアプリケーションプログラムとの分担、又はＯＳとアプリケーションプログラムとの協働によって実行する場合には、アプリケーションプログラムのみを記録媒体やストレージに格納してもよい。また、搬送波にプログラムを重畳し、ネットワークを介して配信することも可能である。例えば、ネットワーク上の掲示板（ＢＢＳ：Bulletin Board System）に上記プログラムを掲示し、ネットワークを介してプログラムを配信してもよい。そして、このプログラムを起動し、ＯＳの制御下で、他のアプリケーションプログラムと同様に実行することにより、上記の処理を実行できるように構成してもよい。
【００８５】
その他にも、図２に示すユーザ端末１０−ｎの構成、図６に示すサーバ装置２０の構成、図３〜図５に示す表示例、及び図７及び図８に示すフローチャートの処理は、本発明の趣旨を逸脱しない範囲で、任意に変更及び修正が可能である。
【符号の説明】
【００８６】
１        情報処理システム
１０−ｎ    ユーザ端末
１１        タッチパネル
１２        撮像部
１３，２２  記憶部
１４，２１  通信部
１５，２３  制御部
２０        サーバ装置
１００        ユーザＤＢ
２００        嗜好品ＤＢ
３００        嗜好品リスト
４００        嗜好品ページ
４１０        嗜好品の画像
４２０        第１嗜好品グラフ
４３０        第２嗜好品グラフ
５００        コレクションページ
【図１】
2018124671.tif 000003
【図２】
2018124671.tif 000004
【図３】
2018124671.tif 000005
【図４】
2018124671.tif 000006
【図５】
2018124671.tif 000007
【図６】
2018124671.tif 000008
【図７】
2018124671.tif 000009
【図８】
2018124671.tif 000010